(57)【要約】      （修正有）【課題】インクジェット記録装置を小型化すること。【解決手段】インクカートリッジの大気連通部とチャージタンク２３とを接続するチューブ２５ａ〜２５ｅの近傍には切替え部２７が設置されている。この切替え部２７は、ベース２９、およびベース２９内部に配置され、チューブ２５ａ〜２５ｅを個別に押さえることが可能な押え機構３１から構成され、チャージタンク２３およびチューブポンプ４７からの圧力を複数のインクカートリッジに対して選択的に加圧可能である。【選択図】図３
2006341440.tif 000002
【特許請求の範囲】
【請求項１】
インクを貯留する複数のメインタンクと、
各メインタンクから供給されるインクをそれぞれ貯留する複数のサブタンクを有し、各サブタンク内のインクを噴射ノズルから選択的に噴射して被記録媒体に画像を記録する記録ヘッドと、
を備えたインクジェット記録装置において、
前記メインタンク内のインクを加圧することにより、前記メインタンク内のインクを前記サブタンクへ供給可能な加圧部と、
前記加圧部からの圧力を複数のメインタンクに対して選択的に加圧可能な加圧先切替え部と、
を備えたことを特徴とするインクジェット記録装置。
【請求項２】
請求項１に記載のインクジェット記録装置において、
各メインタンクと前記加圧切替え部とを接続する複数のチューブを備え、
前記加圧先切替え部は、前記複数のチューブを個別に押さえる押え機構によって、複数のメインタンクに対して選択的に加圧可能であることを特徴とするインクジェット記録装置。
【請求項３】
請求項２に記載のインクジェット記録装置において、
前記押え機構は、前記複数のチューブに交差する軸と、各チューブに対向して前記軸表面に形成された突起部によって構成されていることを特徴とするインクジェット記録装置。
【請求項４】
請求項１〜請求項３のいずれかに記載のインクジェット記録装置において、
前記加圧先切替え部を制御して、前記加圧部によって前記複数のメインタンクのすべてに対して加圧する全色加圧可能モードまたは前記加圧部によって前記複数のメインタンクの何れか一つに対して加圧する単色加圧モードを切り替え可能に構成したことを特徴とするインクジェット記録装置。
【発明の詳細な説明】
【技術分野】
【０００１】
本発明は、インクジェット記録装置を小型化する技術に関する。
【背景技術】
【０００２】
従来より、ステーション型インク供給システムを備えるインクジェット記録装置が知られている。すなわち、この種のインクジェット記録装置においては、噴射ノズルからインクを噴射して被記録媒体に記録を行う記録ヘッドおよび記録ヘッドに供給されるインクを貯えるインクタンクを搭載したキャリッジと、インクタンクへ供給されるインクを貯えるメインタンクと、を備え、インクタンクのインクが減少したときには、ポンプ機構によってメインタンク内を加圧し、その加圧されたメインタンクからサブタンクへインクを供給するよう構成されている。なお、上述のサブタンク、メインタンクおよびポンプ機構については、複数組設けられている（例えば、特許文献１参照。）。
【特許文献１】特開２００４−９４４２号公報（第４，５頁、図４）
【発明の開示】
【発明が解決しようとする課題】
【０００３】
しかし、上述のようなインクジェット記録装置においては、メインタンクごとにポンプ機構を設けた場合には、ポンプ機構を制御する構造が複雑となるとともにインクジェット記録装置が大型化するという問題があった。
【０００４】
本発明は、このような不具合に鑑みなされたものであり、その目的とするところは、インクジェット記録装置を小型化する技術を提供することにある。
【課題を解決するための手段】
【０００５】
上記課題を解決するためになされた請求項１に係るインクジェット記録装置は、インクを貯留する複数のメインタンクと、各メインタンクから供給されるインクをそれぞれ貯留する複数のサブタンクを有し、各サブタンク内のインクを噴射ノズルから選択的に噴射して被記録媒体に画像を記録する記録ヘッドと、を備えたインクジェット記録装置において、前記メインタンク内のインクを加圧することにより、前記メインタンク内のインクを前記サブタンクへ供給可能な加圧部と、前記加圧部からの圧力を複数のメインタンクに対して選択的に加圧可能な加圧先切替え部と、を備えたことを特徴とする。
【０００６】
このように構成された本発明によれば、加圧先切替え部が、加圧部からの圧力を複数のメインタンクに対して選択的に加圧可能とする。このことにより、従来構成のようにサブタンクごとに加圧部を備えた場合に比べて、簡単な構成でインクジェット記録装置を小型化することができる。
【０００７】
なお、上述の加圧先切替え部については、次のように構成することが考えられる。すなわち、請求項２のように、各メインタンクと加圧切替え部とを接続する複数のチューブを備え、加圧先切替え部が、複数のチューブを個別に押さえる押え機構によって、複数のメインタンクに対して選択的に加圧可能とすることが考えられる。
【０００８】
このように構成すれば、例えばチューブにその経路を開閉させる弁を設ける場合に比べて、簡単な構成で加圧部からの圧力を複数のメインタンクに対して選択的に加圧可能とすることができる。
【０００９】
また、上述の押え機構については、複数のチューブに交差する軸と、各チューブに対向して軸表面に形成された突起部によって構成されていることが考えられる（請求項３）。
このように構成すれば、軸を回転させることによって突起部でチューブが押し潰された状態と突起部ではチューブが押し潰されない状態とに切替えることができ、より簡単な構成で加圧部からの圧力を複数のメインタンクに対して選択的に加圧可能とすることができる。
【００１０】
ところで、上述の加圧先選択部が全色加圧可能モードおよび単色加圧モードを切り替え可能に構成してもよい。具体的には、請求項４のように、加圧先切替え部を制御して、加圧部によって複数のメインタンクのすべてに対して加圧する「全色加圧可能モード」、または加圧部によって複数のメインタンクの何れか一つに対して加圧する「単色加圧モード」を切り替え可能に構成することが考えられる。
【００１１】
このように構成すれば、例えば「全色加圧可能モード」とすることによって複数のサブタンクに対してインクを同時に供給することができる。一方、「単色加圧モード」とすることによってインクの補給が必要なサブタンクに対してのみ加圧をすることができる。つまり、簡単な構成で全色加圧可能モードと単色加圧モードとの切替を行うことができる。
【発明を実施するための最良の形態】
【００１２】
以下、本発明の一実施形態を図面に基づいて説明する。
［第一実施形態］
図１は、本発明を適用するのに好適なインクジェット記録装置１の外形斜視図である。
【００１３】
図１に示すように、インクジェット記録装置１は、プリンタ機能、コピー機能、スキャナ機能、ファクシミリ機能等を備えた、いわゆる多機能装置（ＭＦＤ：Multi Function Device）であり、被記録媒体として、紙又はプラスチックフィルム等のシート状の用紙が用いられる。
【００１４】
インクジェット記録装置１は、合成樹脂製のハウジング２の底部に、その前側に形成された開口部２ａから差し込み可能な給紙カセット３を備える。また、給紙カセット３の上方には、記録済みの用紙が矢印Ａ方向へ排出される排紙部４が設けられており、排紙部４から連通する排紙口は、ハウジング２の前面の開口部２ａの上部に共通に設けられている。
【００１５】
給紙カセット３は、例えばＡ４サイズ、レターサイズ、リーガルサイズ、はがきサイズ等にカットされた用紙を複数枚収納可能に構成されている。各用紙は、その長辺が用紙搬送方向（副走査方向又はＸ軸方向）と平行になるように配置される。また、給紙カセット３の前端には、リーガルサイズ等の長い用紙の後端部を支持する補助支持部材３ａがＸ軸方向に延出可能に装着されている。給紙カセット３内に納まるＡ４サイズ等の用紙を用いる場合には、給紙カセット３の前部に対して補助支持部材３ａを給紙の妨げとならないように収納することができる。
【００１６】
一方、ハウジング２の上部には、コピー機能やファクシミリ機能における原稿読取の際に使用される画像読取装置５が配置されている。この画像読取装置５は図示しない枢軸部を介してハウジング２の一側端に対して上下開閉回動可能に構成されている。更に、画像読取装置５の上部には、画像読取装置５の上面を覆う原稿カバー体６が、画像読取装置５の後端に設けられた図示しない枢軸を中心に上下回動可能に装着されている。
【００１７】
画像読取りの際は、原稿カバー体６を上側に開けて載置用ガラス板上に原稿が載置された状態で、載置用ガラス板の下方にてＹ軸方向（主走査方向）に往復移動可能に設けられている原稿読取り用の密着型イメージセンサ（ＣＩＳ：Contact Image Sensor)を原稿紙面に対して走査することによって原稿紙面の画像を読取る。
【００１８】
画像読取装置５の上面の原稿カバー体６の前方に各種操作ボタンや液晶表示部等を備えた操作パネル部７が設けられている。
ハウジング２内部には、プリンタ機能を実現するためのインクジェット式の記録ヘッド１０（図２参照）を搭載し、Ｙ軸方向（主走査方向）へ往復移動可能なキャリッジ（図示せず）及びその他の機構からなる記録部（図示せず）が設けられている。
【００１９】
図２は、本発明のインクジェット記録装置１の第一実施形態の要部概略構成を示すブロック図である。
図２に示すように、記録ヘッド１０には、４組の噴射ノズル（図示せず）が下方に向けて設けられ、これら噴射ノズルから４色（ブラック、シアン、イエロー、マゼンダ）のインクを下側に噴射して用紙に記録可能である。
【００２０】
また、記録ヘッド１０は、後述するインクカートリッジ２１ａ〜２１ｄから供給される４色のインクをそれぞれ貯蔵するサブタンク１０１ａ〜１０１ｄを内蔵している。これらサブタンク１０１ａ〜１０１ｄと噴射ノズルとは、図示しない供給流路で色ごとに接続されており、サブタンク１０１ａ〜１０１ｄから各色の噴射ノズルへ各色のインクを供給可能である。
【００２１】
また、サブタンク１０１ａ〜１０１ｄと後述するインクカートリッジ２１ａ〜２１ｄとは、色ごとにチューブ１０３ａ〜１０３ｄで接続されており、インクカートリッジ２１ａ〜２１ｄからサブタンク１０１ａ〜１０１ｄへ各色のインクを供給可能である。
【００２２】
以上のように構成された記録部においては、キャリッジはＣＰＵ等からなるキャリッジ制御部（図示せず）によって制御されることによりＹ方向（主走査方向）に往復移動することで記録ヘッド１０を走査する。記録ヘッド１０は、この走査時に各サブタンク１０１ａ〜１０１ｄ内のインクを噴射ノズルから選択的に噴射して用紙に画像を記録する。
【００２３】
また、記録ヘッド１０におけるキャリッジの待機位置に相当する位置にはメンテナンスユニット１５が搭載されている。このメンテナンスユニット１５は、記録ヘッド１０の噴射ノズルを密閉可能なキャップ１７を備えている。このメンテナンスユニット１５では、ブレード等による記録ヘッド１０の噴射ノズルの拭き取りをおこなうワイピング動作や、上昇させたキャップ１７によって記録ヘッド１０の噴射ノズルを密閉して、噴射ノズル内からゴミや空気、更には固化したインクを強制的に除去するためのパージ動作、フラッシング動作等の各種メンテナンス動作が行われる。
【００２４】
また、ハウジング２内部には、フルカラー記録のための４色（ブラック（Ｋ）、シアン（Ｃ）、マゼンタ（Ｍ）、イエロー（Ｙ））の未使用インクを各々収容したインクカートリッジ２１ａ〜２１ｄが収納されている。このインクカートリッジ２１ａ〜２１ｄは、キャリッジの移動方向に順に配列されるとともに、ハウジング２に対して上方から着脱可能に構成されており、インクの補充を行う場合は、このインクカートリッジ２１ａ〜２１ｄごとに交換する。また、インクカートリッジ２１ａ〜２１ｄには、その内部と大気とを連通するための大気連通部２２ａ〜２２ｄがそれぞれ設けられている。なお、インクカートリッジ２１ａ〜２１ｄは本発明のメインタンクに該当する。
【００２５】
また、インクカートリッジ２１ａ〜２１ｄとチャージタンク２３とはチューブ２５ａ〜２５ｄでそれぞれ接続されており、チャージタンク２３から各インクカートリッジ２１ａ〜２１ｄへチャージタンク２３内に蓄積された空気を供給可能に構成されている。さらに、インクカートリッジ２１ａ〜２１ｄの大気連通部２２ａ〜２２ｄとチャージタンク２３とはチューブ２５ｅで接続されている。具体的には、チューブ２５ｅは、その途中で４本に分岐しており、チューブ２５ｅの両端のうち４本に分岐している側がそれぞれインクカートリッジ２１ａ〜２１ｄの大気連通部２２ａ〜２２ｄに接続されるとともに、チューブ２５ｅの両端のうち分岐していない側がチャージタンク２３に接続されることで、大気連通部２２ａ〜２２ｄとチャージタンク２３とがチューブ２５ｅで接続されている。このことにより、チャージタンク２３内に蓄積された空気を各インクカートリッジ２１ａ〜２１ｄの大気連通部２２ａ〜２２ｄへ供給可能である。なお、チューブ２５ｅにおける分岐部分および大気連通部２２ａ〜２２ｄとチューブ２５ｅとの接続箇所については、図２では図示を省略している。また、上述のチューブ２５ａ〜２５ｄおよびチューブ２５ｅにおける分岐していない部分については、後述する切替え部２７の内部で互いに平行となるよう並べられ、切替え部２７のベース２９に固定されている（図３参照）。
【００２６】
さらに、インクカートリッジ２１ａ〜２１ｄの大気連通部２２ａ〜２２ｄとチャージタンク２３とを接続するチューブ２５ａ〜２５ｅの近傍には加圧先切替え部としての切替え部２７が設置されている。この切替え部２７は、図３に示すように、筺体であるベース２９、およびベース２９内部に配置され、チューブ２５ａ〜２５ｅを個別に押さえることが可能な押え機構３１から構成される。この押え機構３１は、複数のチューブに交差する軸３３、軸３３を回転駆動可能な切替え駆動部（図示せず）、切替え駆動部を制御する切替え制御部（図示せず）、各チューブ２５ａ〜２５ｅそれぞれに対向して軸３３の表面に形成された突起部３９ａ〜３９ｅ、軸３３の回転に伴って移動する突起部３９ａ〜３９ｅの軌道上にその一部がそれぞれ配置され、その中央部がベース２９に回動可能に支持されるとともに、その一端である押圧部４１ａ〜４１ｅがチューブ２５ａ〜２５ｅをそれぞれ押圧可能なレバー４３ａ〜４３ｅ、ベース２９とレバー４３ａ〜４３ｅの他端との間に圧縮された状態でそれぞれ配置され、レバー４３ａ〜４３ｅの押圧部４１ａ〜４１ｅをチューブ２５ａ〜２５ｅへ向けてそれぞれ付勢するバネ４５ａ〜４５ｅによって構成されている。なお、図３（ａ）の側面図では、各構成を示す符号から「ａ〜ｄ」の文字を省略している。
【００２７】
上述の突起部３９ａ〜３９ｄについては、制御された切替え駆動部によって軸３３が回転する際に、４色のインクカートリッジ２１ａ〜２１ｄに対応するレバー４３ａ〜４３ｄに順に当接するよう軸３３の表面上に配置されている。また、突起部３９ｅは４つ存在し、軸３３が回転する際に、レバー４３ｅに順に当接するよう軸３３の表面上に配置されている。
【００２８】
さらに、突起部３９ａと突起部３９ｅは、インクカートリッジ２１ａからサブタンク１０１ａへのインク供給を遮断する「遮断モード」、インクカートリッジ２１ａからサブタンク１０１ａへインクを供給する「連通モード」、およびインクカートリッジ２１ａの内部を大気と連通させる「大気連通モード」を実現するため、軸３３に対して次の（イ）〜（ハ）の要件を満たすよう取り付けられている。
【００２９】
（イ）軸３３を回転させることで、突起部３９ａがレバー４３ａには当接せず、且つ突起部３９ｅがレバー４３ｅには当接しない状態となること（遮断モード、図４（ａ）参照）
（ロ）軸３３を回転させることで、突起部３９ａがレバー４３ａに当接し、且つ突起部３９ｅがレバー４３ｅには当接しない状態となること（連通モード、図４（ｂ）参照）
（ハ）軸３３を回転させることで、突起部３９ａがレバー４３ａに当接し、且つ突起部３９ｅの一つがレバー４３ｅに当接する状態となること（大気連通モード、図４（ｃ）参照）
なお、突起部３９ｂと突起部３９ｅ、突起部３９ｃと突起部３９ｅ、および突起部３９ｄと突起部３９ｅについても、上述のような遮断モード、連通モードおよび大気連通モードを各色において実現するように構成されているが、ここでは詳細な説明は省略する。
【００３０】
以上のように構成された切替え部２７は、チューブ２５ａ〜２５ｅを個別に押さえる押え機構３１を制御して、チャージタンク２３からの圧力をインクカートリッジ２１ａ〜２１ｄに対して選択的に加圧可能である。
【００３１】
また、チャージタンク２３にはチューブポンプ４７がチューブ２６で接続されている。  チャージタンク２３は、駆動源４９によって作動するチューブポンプ４７から供給される空気を一時的に貯留することにより、各インクカートリッジ２１ａ〜２１ｄに対して一定の圧力で加圧する機能を有する。
【００３２】
以上のように構成されたチャージタンク２３およびチューブポンプ４７は、各インクカートリッジ２１ａ〜２１ｄ内のインクを加圧することにより、各インクカートリッジ２１ａ〜２１ｄ内のインクをサブタンク１０１ａ〜１０１ｄへ供給可能である。
【００３３】
なお、チャージタンク２３およびチューブポンプ４７は加圧部に該当する。
次に、インクジェット記録装置１の切替え部２７の動作について図４を参照して説明する。なお、以下の説明では、ブラック色のインクについて説明し、その他の色のインクについての説明は省略する。
【００３４】
図４は、切替え部２７の動作を示す説明図である。
まず、インクカートリッジ２１ａからサブタンク１０１ａへのインク供給を遮断する場合には（遮断モード、図４（ａ）参照）、切替え制御部が切替え駆動部を制御して、軸３３の突起部３９ａがレバー４３ａには当接せず、且つ突起部３９ｅがレバー４３ｅには当接しなくなるまで切替え部２７の軸３３を回転させる。このとき、バネ４５ａの付勢力によってレバー４３ａの押圧部４１ａがチューブ２５ａを押圧するとともに、バネ４５ｅの付勢力によってレバー４３ｅの押圧部４１ｅがチューブ２５ｅを押圧するために、チューブ２５ａおよびチューブ２５ｅが閉鎖される。つまり、チャージタンク２３からインクカートリッジ２１ａへの空気の供給が遮断され、インクカートリッジ２１ａからサブタンク１０１ａへのインク供給が遮断される。
【００３５】
次に、インクカートリッジ２１ａからサブタンク１０１ａへインクを供給する場合には（ＢＫ連通モード、図４（ｂ）参照）、切替え制御部が切替え駆動部を制御して、軸３３の突起部３９ａがレバー４３ａに当接し、且つ突起部３９ｅがレバー４３ｅには当接しなくなるまで切替え部２７の軸３３を回転させる。このとき、突起部３９ａがバネ４５ａの付勢力に抗してレバー４３ａを移動させることによってレバー４３ａの押圧部４１ａがチューブ２５ａから離間するとともに、バネ４５ｅの付勢力によってレバー４３ｅの押圧部４１ｅがチューブ２５ｅを押圧する。このことにより、チューブ２５ａが開放されるとともに、チューブ２５ｅが閉鎖される。つまり、チャージタンク２３からインクカートリッジ２１ａへ空気が供給され、インクカートリッジ２１ａからサブタンク１０１ａへのインクが供給される。
【００３６】
また、インクカートリッジ２１ａの内部を大気と連通させる場合には（ＢＫ大気連通モード、図４（ｃ）参照）、切替え制御部が切替え駆動部を制御して、軸３３の突起部３９ａがレバー４３ａに当接し、且つ突起部３９ｅの一つがレバー４３ｅに当接するまで切替え部２７の軸３３を回転させる。このとき、突起部３９ａがバネ４５ａの付勢力に抗してレバー４３ａを移動させることによってレバー４３ａの押圧部４１ａがチューブ２５ａから離間するとともに、突起部３９ｅがバネ４５ｅの付勢力に抗してレバー４３ｅを移動させることによってレバー４３ｅの押圧部４１ｅがチューブ２５ａから離間する。このことにより、チューブ２５ａおよびチューブ２５ｅが開放され、チャージタンク２３からインクカートリッジ２１ａへ空気が供給され、その供給された空気が大気連通部２２ａから外部へ放出される。
【００３７】
そして、再びインクカートリッジ２１ａからサブタンク１０１ａへのインク供給を遮断する場合には（遮断モード、図４（ｄ）参照）、切替え制御部が切替え駆動部を制御して、上述のように、軸３３の突起部３９ａがレバー４３ａには当接せず、且つ突起部３９ｅがレバー４３ｅには当接しなくなるまで切替え部２７の軸３３を回転させる。このとき、バネ４５ａの付勢力によってレバー４３ａの押圧部４１ａがチューブ２５ａを押圧するとともに、バネ４５ｅの付勢力によってレバー４３ｅの押圧部４１ｅがチューブ２５ｅを押圧し、チューブ２５ａおよびチューブ２５ｅが閉鎖される。つまり、チャージタンク２３からインクカートリッジ２１ａへの空気の供給が遮断され、インクカートリッジ２１ａからサブタンク１０１ａへのインク供給を遮断される。
【００３８】
なお、引き続き切替え制御部が切替え駆動部を制御して切替え部２７の軸３３を回転させることにより、他のインク色についても上述の３つのモードを切替えることができる。
［効果］
（１）このように第一実施形態のインクジェット記録装置１によれば、切替え部２７が、チャージタンク２３およびチューブポンプ４７からの圧力を複数のインクカートリッジ２１ａ〜２１ｄに対して選択的に加圧可能とする。このことにより、従来構成のようにサブタンクごとに加圧部を備えた場合に比べて、簡単な構成でインクジェット記録装置１を小型化することができる。
【００３９】
（２）また、第一実施形態のインクジェット記録装置１によれば、切替え部２７が、チューブ２５ａ〜２５ｅを個別に押さえる押え機構３１を制御して、チャージタンク２３からの圧力をインクカートリッジ２１ａ〜２１ｄに対して選択的に加圧可能に構成されている。このことにより、例えばチューブ２５ａ〜２５ｅにその経路を開閉させる弁を設ける場合に比べて、簡単な構成でチャージタンク２３およびチューブポンプ４７からの圧力を複数のインクカートリッジ２１ａ〜２１ｄに対して選択的に加圧可能とすることができる。
【００４０】
（３）また、第一実施形態のインクジェット記録装置１によれば、押え機構３１については、複数のチューブ２５ａ〜２５ｅに交差する軸３３と、各チューブ２５ａ〜２５ｅに対向して軸３３の表面に形成された突起部３９ａ〜３９ｅによって構成されている。このように構成すれば、軸３３を回転させることによって突起部３９ａ〜３９ｅでチューブ２５ａ〜２５ｅが押し潰された状態と突起部３９ａ〜３９ｅではチューブ２５ａ〜２５ｅが押し潰されない状態とに切替えることができ、より簡単な構成でチャージタンク２３およびチューブポンプ４７からの圧力を複数のインクカートリッジ２１ａ〜２１ｄに対して選択的に加圧可能とすることができる。
【００４１】
［他の実施形態］
以上、本発明の一実施形態について説明したが、本発明は上記実施形態に限定されるものではなく、以下のような様々な態様にて実施することが可能である。
【００４２】
（１）上記第一実施形態では、チャージタンク２３およびチューブポンプ４７からの圧力を複数のインクカートリッジ２１ａ〜２１ｄに対して選択的に加圧可能とするよう構成しているが、これには限られず、上述のようなチャージタンク２３およびチューブポンプ４７からの圧力を複数のインクカートリッジ２１ａ〜２１ｄに対して選択的に加圧可能とする「単色加圧モード」と、チャージタンク２３およびチューブポンプ４７によって複数のインクカートリッジ２１ａ〜２１ｄのすべてに対して加圧する「全色加圧可能モード」とを切り替え可能に構成してもよい。一例を挙げると、上述の突起部３９ａ〜３９ｅに加えて、軸３３が回転する際に４色のインクカートリッジ２１ａ〜２１ｄに対応するレバー４３ａ〜４３ｄに同時に当接するよう４つの突起部を軸３３の表面上に配置するといった具合である。
【００４３】
このように構成すれば、例えば「全色加圧可能モード」とすることによって複数のサブタンク１０１ａ〜１０１ｄに対してインクを同時に供給することができる。一方、「単色加圧モード」とすることによってインクの補給が必要なサブタンク１０１ａ〜１０１ｄに対してのみ加圧をすることができる。つまり、簡単な構成で全色加圧可能モードと単色加圧モードとの切替を行うことができる。
【図面の簡単な説明】
【００４４】
【図１】本発明を適用するのに好適なインクジェット記録装置１の外形斜視図である。
【図２】本発明のインクジェット記録装置１の第一実施形態の要部概略構成を示すブロック図である。
【図３】切替え部２７を示す説明図であり、（ａ）が側面図であり（ｂ）が正面図である。
【図４】切替え部２７の動作を示す説明図である。
【符号の説明】
【００４５】
１…インクジェット記録装置、２…ハウジング、２ａ…開口部、３…給紙カセット、３ａ…補助支持部材、４…排紙部、５…画像読取装置、６…原稿カバー体、７…操作パネル部、１０…記録ヘッド、１５…メンテナンスユニット、１７…キャップ、２１ａ〜２１ｄ…インクカートリッジ、２２ａ〜２２ｄ…大気連通部、２３…チャージタンク、２５ａ〜２５ｅ，２６，１０３ａ〜１０３ｄ…チューブ、２７…切替え部、２９…ベース、３１…押え機構、３３…軸、３９ａ〜３９ｅ…突起部、４１ａ〜４１ｅ…押圧部、４３ａ〜４３ｅ…レバー、４５ａ〜４５ｅ…バネ、４７…チューブポンプ、４９…駆動源、１０１ａ〜１０１ｄ…サブタンク
【図１】
2006341440.tif 000003
【図２】
2006341440.tif 000004
【図３】
2006341440.tif 000005
【図４】
2006341440.tif 000006